(57)【要約】  編集区間情報取得部は、編集履歴情報を基にして、編集区間情報と編集区間対応付け情報を生成する。編集前コンテンツ・編集後コンテンツ間対応関係取得部は、編集区間情報取得部の編集区間情報を基にして、連続する編集区間をグルーピングし、グループ情報を生成する。編集情報表示画面生成部は、編集区間情報取得部の編集区間情報、編集区間対応付け情報、編集前コンテンツ・編集後コンテンツ間対応関係取得部のグループ情報、グループ間対応付け情報、区間・グループ間対応付け情報、入力部の入力情報を基にして、画面情報を生成する。提示部は、編集情報表示画面生成部から得た画面情報を表示する。
2010073695.tif 000002
【特許請求の範囲】
【請求項１】
時間軸を有するコンテンツに対して区間毎に修正を行う編集処理における編集前後の対応関係を提示する編集情報提示装置であって、
編集前コンテンツ内において修正が行われない区間に挟まれていて修正が行われる複数の区間から構成される部分と、編集後コンテンツ内において修正が行われていない区間に挟まれた修正が行われた複数の区間から構成される部分との間において、互いに対応する複数の区間の対応付けをする編集区間情報取得手段と、
前記複数の区間の対応付けを１つの対応関係として提示する提示手段と、
を備えることを特徴とする編集情報提示装置。
【請求項２】
前記編集区間情報取得手段は、前記編集前コンテンツから前記編集後コンテンツを生成した際に生成された編集履歴情報に基づいて、前記編集前コンテンツの修正が行われる区間から前記編集後コンテンツの修正が行われた区間への対応付けをすることを特徴とする請求項１に記載の編集情報提示装置。
【請求項３】
前記編集履歴情報には、前記編集処理毎に当該編集処理を適用した区間の時間情報が含まれており、
前記編集区間情報取得手段は、前記編集履歴情報の前記時間情報に基づいて、時間的に連続する前記修正が行われた複数の区間を求めることにより、前記編集前コンテンツにおいて修正が行われる区間が、前記修正が行われない区間に挟まれていることの判定を行うことを特徴とする請求項２に記載の編集情報提示装置。
【請求項４】
前記編集前コンテンツ及び前記編集後コンテンツそれぞれにおいて、修正が行われた区間を編集区間として算出し、前記編集前コンテンツ及び前記編集後コンテンツの夫々に対して、時間的に連続する編集区間同士をグループ化して編集グループを生成する編集前コンテンツ・編集後コンテンツ間対応関係取得手段と、
前記編集履歴情報から前記編集前コンテンツの編集区間と前記編集後コンテンツの編集区間との対応関係を示す編集区間対応付け情報を抽出し、前記編集区間対応付け情報に基づいて前記編集前コンテンツと前記編集後コンテンツとの間で編集グループ同士の対応関係を示す編集グループ間対応付け情報を抽出し、前記編集区間対応付け情報に基づいて前記編集前コンテンツと前記編集後コンテンツとの間で編集区間と編集グループとの対応関係を示す区間・グループ間対応付け情報を抽出し、前記編集区間と前記編集グループとによって前記編集前コンテンツの構造と前記編集後コンテンツの構造を表現し、前記編集区間対応付け情報、前記編集グループ間対応付け情報、及び前記区間・グループ間対応付け情報の少なくとも何れか１つを用いて、前記編集前コンテンツと前記編集後コンテンツとの間の対応関係を前記提示手段に提示させる編集情報表示画面生成手段と、
を備えることを特徴とする請求項２に記載の編集情報提示装置。
【請求項５】
ユーザからの入力を受け付ける入力手段を更に備え、
前記編集情報表示画面生成手段は、前記入力手段からの入力に従って、前記編集区間対応付け情報、前記編集グループ間対応付け情報、及び前記区間・グループ間対応付け情報の何れか１つを選択して用いて、前記編集前コンテンツと前記編集後コンテンツとの間の対応関係を、前記編集区間同士の対応関係、前記編集区間と前記編集グループの間での対応関係、又は前記編集グループ同士の対応関係のいずれかで前記提示手段に提示させることを特徴とする請求項４に記載の編集情報提示装置。
【請求項６】
前記編集区間情報取得手段は、前記編集前コンテンツと前記編集後コンテンツとの対応関係を提示する際に前記編集区間の長さと前記編集区間の編集処理の内容とから前記編集区間の重要度を算出し、当該算出された編集区間の重要度が所定の閾値より低い場合には、当該編集処理が行われた編集区間をサブ区間へ変更し、前記編集前コンテンツと前記編集後コンテンツを提示する際に前記サブ区間を隠蔽することを特徴とする請求項４に記載の編集情報提示装置。
【請求項７】
前記編集情報表示画面生成手段は、前記編集前コンテンツと前記編集後コンテンツとの間で対応関係にある区間・グループを再生順序で並べた後に、前記編集前コンテンツと前記編集後コンテンツの少なくとも一方において区間とグループの間に空白を挿入することにより、再生順序と垂直に交わる方向において互いに対応する区間・グループの位置を揃えて、前記編集前コンテンツと前記編集後コンテンツとの間の対応関係を前記提示手段に提示させることを特徴とする請求項４に記載の編集情報提示装置。
【請求項８】
前記編集区間情報取得手段は、前記修正が行われていない区間を未編集区間として抽出し、当該未編集区間の対応関係を抽出して、当該未編集区間に挟まれる区間で前記編集前コンテンツと前記編集後コンテンツとの対応関係を前記提示手段に提示させることを特徴とする請求項１に記載の編集情報提示装置。
【請求項９】
前記編集区間情報取得手段は、前記編集前コンテンツと前記編集後コンテンツの間で編集区間情報の差分を取ることにより、前記編集前コンテンツと前記編集後コンテンツとの間の前記未編集区間の抽出を行うことを特徴とする請求項８に記載の編集情報提示装置。
【請求項１０】
前記編集区間情報取得手段は、前記編集前コンテンツから前記編集後コンテンツを生成した際に生成された編集履歴情報に、編集をしていない区間である未編集区間に関する情報が含まれている場合、当該未編集区間に関する情報を用いて、前記編集前コンテンツと前記編集後コンテンツとの間の前記未編集区間の抽出を行うことを特徴とする請求項８に記載の編集情報提示装置。
【請求項１１】
前記編集区間情報取得手段は、前記編集前コンテンツと前記編集後コンテンツとに存在する未編集区間が並ぶ順序で、前記編集前コンテンツと前記編集後コンテンツとの間で同一の区間長さを有する未編集区間同士を対応させることにより、前記編集前コンテンツと前記編集後コンテンツとの間の前記未編集区間の対応付け情報の抽出を行うことを特徴とする請求項８に記載の編集情報提示装置。
【請求項１２】
前記編集区間情報取得手段は、前記編集前コンテンツと前記編集後コンテンツとの間で各未編集区間を映像又は音響特徴量による照合を行い、同一の未編集区間を対応付けることによって、前記編集前コンテンツと前記編集後コンテンツとの間の前記未編集区間の対応付け情報を算出することを特徴とする請求項８に記載の編集情報提示装置。
【請求項１３】
時間軸を有するコンテンツを区間毎に修正を行う編集処理のためのコンテンツにおける編集前後の対応関係を提示する編集情報提示装置における編集情報提示方法であって、
編集前コンテンツ内において修正が行われない区間に挟まれていて修正が行われる複数の区間から構成される部分と、編集後コンテンツ内において修正が行われていない区間に挟まれた修正が行われた複数の区間から構成される部分との間において、互いに対応する複数の区間の対応付けをする編集区間情報取得工程と、
前記複数の区間の対応付けを１つの対応関係として提示する提示工程と、
を有することを特徴とする編集情報提示方法。
【請求項１４】
コンピュータを、
請求項１乃至１２の何れか一項に記載の編集情報提示装置として機能させることを特徴とするプログラム。
【請求項１５】
請求項１４に記載のプログラムがコンピュータに読み取り可能に記録されていることを特徴とする記録媒体。
【発明の詳細な説明】
【技術分野】
【０００１】
本発明は、編集情報提示装置、編集情報提示方法、編集情報提示プログラム、及び記録媒体に関し、特に、編集前コンテンツと編集後コンテンツとの対応関係をまとめて提示することができる編集情報提示装置等に関する。
【背景技術】
【０００２】
近年、コンテンツを扱うことが身近になっている。これに伴い、情報端末装置上で編集をすることができるソフトウェアが次々と開発されており、また、ユーザが効率的に編集を行うことを可能とするための研究もなされている。【０００３】
コンテンツの編集履歴情報を確認することができる既存のソフトウェアとして、映像編集ソフトウェアAdobe Premier Pro CS3が存在する（例えば非特許文献１）。このソフトウェアは、映像コンテンツの編集用のソフトウェアであって、ユーザが映像編集時に行った編集行為を時間順に保持する"ヒストリー"という編集履歴情報を管理する機能を有している。【０００４】
また、特許文献１には、映像編集支援装置が記載されている。この映像編集支援装置では、映像編集の技術及び知識の無い一般のユーザ向けに、映像編集時のショットの並び方についての候補を提示する。この映像編集支援装置は、編集前映像と編集後映像の映像及び音の時系列構成情報、同期情報、同一シーンを学習し、編集する素材映像の特徴と学習結果とを照らし、ショットの並びの候補を提示する。特許文献１の請求項６の映像編集支援装置では、編集処理を行った編集後映像と編集処理を行う前の映像である編集前映像とを用いて学習を行っている。【０００５】
図１９は、特許文献１の映像編集支援装置の学習手段部分のみを示した図である。【０００６】
図１９に示すように、学習手段１０００には、映像受付手段１００１と、映像信号抽出手段１００２と、映像解析手段１００３とを備えている。【０００７】
映像受付手段１００１には、学習に用いる編集前映像と編集後映像とが入力される。【０００８】
次いで、映像信号抽出手段１００２は、映像受付手段１００１で得た編集前映像と編集後映像の映像及び音の特徴を抽出する。【０００９】
次に、映像解析手段１００３で、編集前映像と編集後映像の映像及び音の特徴を比較することによって、編集前映像のどのショットが、編集後映像のどの位置に用いられているかを判定する。【００１０】
そして、編集前映像から編集に用いるショットを選択及び配置するルールを学習する。【００１１】
また、特許文献２には、親クリップという素材と、この素材から作成した子セグメントとの関連性を矢印（若しくはその他の対応表現として、例えば色）で示す、即ち親クリップと子セグメントとの間における派生関係を示すビデオ編集方法について開示されている。
【特許文献１】特開２００７−３３６１０６
【特許文献２】特開２００４−０４０７６７
【非特許文献１】Adobe Premiere Pro 2.0 Studio Techniques : Studio Techniques    , ISBN-13 : 978-0321385475
【発明の開示】
【発明が解決しようとする課題】
【００１２】
しかしながら、上記の編集ソフトウェアや映像編集支援装置では、以下のような問題点があった。【００１３】
すなわち、ユーザがコンテンツを繰り返し編集すると、編集の意図の把握が困難になることである。その理由は、ユーザの編集の意図は、複数の編集行為の関連性と、編集箇所と未編集の箇所の関連性とを用いることにより読み取りが可能になるが、従来の編集履歴情報の表示方法では、これらの関連性を考慮していないためである。例えば、非特許文献１のAdobe Premiereの場合、ヒストリーのような編集履歴情報の管理機能は、編集履歴情報がリストとして表れるため、それらの関係性を視覚的に見出すのは難しい。一方、特許文献１の編集支援装置では、このような編集履歴情報の表示がそもそも考慮されていない。【００１４】
第２の問題点は、編集前後のコンテンツ全体の変化についての概要を、ユーザが容易に把握できないことである。その理由は、編集前後のコンテンツ全体の変化についての概要を示すには、編集履歴情報から、編集前後のコンテンツの大局的な構造の変化を示す編集情報を算出する必要があるが、ヒストリーのような編集履歴情報の管理機能ではコンテンツ全体の変化の概要を抽出することはできない。また、特許文献１の手法では、学習したコンテンツから得られたルールに従ってコンテンツを自動生成する機能は有するものの、ユーザが行った編集行為を編集履歴情報として貯えて、コンテンツの変化を明示的に表示する手段を有さないため、コンテンツ全体の変化の概要を抽出することはできない。【００１５】
また、上記特許文献２には、編集前と編集後でコンテンツ内のクリップ（区間）の移動の状態を示すことについては開示されていない。また、修正されていない区間に挟まれた複数の修正が行われた区間から構成される部分を求めることはできないので、当該部分をグループ化して編集前コンテンツと編集後コンテンツとの対応付け情報を表示することにより編集の意図がより鮮明に理解することができなかった。【００１６】
本発明は、上記の問題を鑑みてなされたものであり、ユーザの編集の意図を提示することができ、かつ編集内容の大局を把握することができる編集情報提示装置、編集情報提示方法、プログラム、及び記録媒体を提供することにある。
【課題を解決するための手段】
【００１７】
上記課題を解決するため、本発明によれば、時間軸を有するコンテンツに対して区間毎に修正を行う編集処理における編集前後の対応関係を提示する編集情報提示装置であって、
編集前コンテンツ内において修正が行われない区間に挟まれていて修正が行われる複数の区間から構成される部分と、編集後コンテンツ内において修正が行われていない区間に挟まれた修正が行われた複数の区間から構成される部分との間において、互いに対応する複数の区間の対応付けをする編集区間情報取得手段と、
前記複数の区間の対応付けを１つの対応関係として提示する提示手段と、
を備えることを特徴とする編集情報提示装置を提供する。【００１８】
ここで、編集情報提示装置とは、編集前コンテンツと編集後コンテンツの区間の関係を、編集区間・未編集区間という２種類の区間情報と、連続する編集区間をまとめたグループ情報、及び、区間同士、グループ同士、区間・グループの対応関係情報をまとめた編集情報を抽出・表示する装置である。編集情報提示装置は、編集情報のグループ情報とグループ同士の対応関係情報を用いて、編集内容の概要を表示したり、区間情報と区間同士の関連情報を用いて、編集内容の詳細を表示したり、或いは、編集情報提示装置への入力により編集内容の概要や詳細を変更したりすることが可能である。編集内容の大局を把握するためには、グループ同士の対応関係情報の表示が重要である。当該グループ同士の対応関係情報は、編集前後のコンテンツ間における編集区間の対応関係を集約したものである。そのため、編集前後のコンテンツ間で編集区間が編集前後のコンテンツそれぞれにおいて同一のグループに属する場合、それらのグループ間の対応付け情報を知ることにより、それらの対応付けされたグループ内に編集区間が存在し、何らかの編集が行われているという編集内容の概略が分かる。即ち、編集前コンテンツと編集後コンテンツとの間の編集区間同士の対応関係情報を、グループ同士の対応関係情報に置き換えることにより、編集前後のコンテンツ間の編集による対応関係を簡潔に表現することができる。これにより、編集内容の大局を把握することが可能である。なお、ここで用いるコンテンツは、動画データや音データ等の時間情報を有するコンテンツを指し、テキスト・静止画等の時間情報を有さないコンテンツを含まない。【００１９】
また本発明によれば、時間軸を有するコンテンツを区間毎に修正を行う編集処理のためのコンテンツにおける編集前後の対応関係を提示する編集情報提示装置における編集情報提示方法であって、
編集前コンテンツ内において修正が行われない区間に挟まれていて修正が行われる複数の区間から構成される部分と、編集後コンテンツ内において修正が行われていない区間に挟まれた修正が行われた複数の区間から構成される部分との間において、互いに対応する複数の区間の対応付けをする編集区間情報取得工程と、
前記複数の区間の対応付けを１つの対応関係として提示する提示工程と、
を有することを特徴とする編集情報提示方法が提供される。【００２０】
また本発明によれば、コンピュータを、上記した編集情報提示装置として機能させるプログラム、又はこのプログラムを記録した記録媒体が提供される。
【発明の効果】
【００２１】
本発明によれば、ユーザの編集の意図を提示することができ、かつ編集内容の大局を把握することができる。
【図面の簡単な説明】
【００２２】
【図１】本発明の第１実施形態に係る編集情報提示装置の概略構成の一例を示す図である。
【図２】編集区間の対応付けの一例を示す図である。
【図３】図２の編集区間の対応付けをグループ単位で集約して、編集グループ間対応付け情報の一例を示す図である。
【図４】編集前コンテンツの区間ＩＤと編集後コンテンツのグループＩＤとを対応付けした結果、編集前コンテンツのグループＩＤと編集後コンテンツの区間ＩＤとの対応付けした結果を用いて、映像間における区間とグループの関係を示した図である。
【図５】各区間の情報をコンポーネントとして示す図である。
【図６】編集区間コンポーネントに編集グループコンポーネントを対応付けした画面情報である。
【図７】図６の連続する編集区間コンポーネントを編集グループコンポーネントによって集約可能であることを示す画面情報の一例を示す図である。
【図８】編集区間コンポーネントと編集グループコンポーネントの両者を用いた画面情報が生成可能であることを示す図である。
【図９】区間コンポーネントを選択することで、選択した区間コンポーネント自身とその区間コンポーネントが属するグループコンポーネント、また、選択した区間コンポーネントに対応付けされた区間コンポーネントとその対応付けされた区間コンポーネントが属するグループコンポーネントをハイライトする画面情報の生成が可能であることを示す図である。
【図１０】グループコンポーネントを選択することで、選択したグループコンポーネント自身と選択したグループコンポーネントに属する区間コンポーネント、また選択したグループコンポーネントに対応付けされたグループコンポーネントとそのグループコンポーネントに属する区間コンポーネントをハイライトする画面情報の生成が可能であることを示す図である。
【図１１】第２実施形態に係る編集情報提示装置の編集区間情報取得部の一例を示す図である。
【図１２】重要度の低い編集履歴情報から抽出した編集区間をマージする一例を示す図である。
【図１３】サブ区間情報を用いた編集情報表示画面生成部の画面の一例を示す図である。
【図１４】区間内のサブ区間情報の有無についての表示と、区間情報からサブ区間情報の表示方法の一例を示す図である。
【図１５】第３実施形態に係る編集情報提示装置の編集情報表示画面生成部の一例を示す図である。
【図１６】区間コンポーネントのレイアウトをレイアウト設定部によって設定した結果を示す画面情報の一例を示す図である。
【図１７】図１の編集区間情報取得情報に、第１実施形態における編集区間情報生成部と新たに未編集区間情報生成部とを追加した実施形態である第４実施形態を示す図である。
【図１８】第１実施形態に係る編集情報提示装置の提示部で示す編集区間と編集グループコンポーネントと、それらの対応関係に未編集区間コンポーネントと未編集区間対応付け情報を加えた画面情報の一例を示す図である。
【図１９】特許文献１の編集前映像と編集後映像とから、ショット・音の信号情報とショット・音の同期情報とを抽出する流れの一例を示す図である。
【発明を実施するための最良の形態】
【００２３】
以下、本発明の実施形態に係る編集情報提示装置に関して、添付図面を参照して説明する。なお、以下に説明する実施形態は、本願に係る編集情報提示装置を適用した場合の実施形態である。【００２４】
［第１実施形態］
まず、本発明の第１実施形態に係る編集情報提示装置１の構成及び機能について、図１を参照して説明する。なお、図１は、第１実施形態に係る編集情報提示装置１の概略構成の一例を示す図である。【００２５】
図１に示すように、編集情報提示装置１（編集情報提示装置の一例）は、編集区間情報取得部２と、編集前コンテンツ・編集後コンテンツ間対応関係取得部３と、編集情報表示画面生成部４と、入力部５と、提示部６と、を備えている。【００２６】
編集区間情報取得部２は、編集履歴情報を基にして、編集区間情報を算出するとともに、当該編集区間情報を算出する過程で、編集前コンテンツの編集区間と、編集後コンテンツのうちその編集区間を編集することによって生成した編集区間とを対応付け、当該対応付けられた情報を編集区間対応付け情報として算出する。【００２７】
なお、編集区間の対応付けには、コンテンツのＩＤとコンテンツ内の区間のＩＤとを用いる。そして、これらＩＤの対応付けの結果を、編集区間対応付け情報として生成する。即ち、編集区間対応付け情報は、編集区間を特定する編集区間情報のコンテンツのＩＤと区間ＩＤを用いて、編集区間をペア（一対）として対応付けること、すなわち編集前コンテンツのＩＤと編集区間を特定するＩＤの組み合わせと、編集後コンテンツのＩＤと編集区間を特定するＩＤの組み合わせを対応付けることによって作成される。【００２８】
ここで、編集履歴情報とは、ある映像を編集した際の編集操作を記録した情報である。また、編集区間とは、編集処理を反復する過程で、編集により手が加えられた区間であり、編集前コンテンツに編集処理を適用する区間と、その結果として生成された編集後コンテンツ上の区間の両者を指す。【００２９】
また、編集区間情報とは、編集前コンテンツと編集後コンテンツとの間で編集が加えられた区間を特定する情報と、加えられた編集処理内容を記述する情報である。【００３０】
編集前コンテンツ・編集後コンテンツ間対応関係取得部３は、編集区間情報取得部２が算出した編集区間情報を基にして、連続する編集区間をグルーピングし、このグループを特定するグループ情報を生成する。なお、グループ情報の生成時に、コンテンツ内のグループにＩＤを生成し、グループに付与する。なおグループ情報は、例えば同一のグループに属する複数の区間それぞれを特定するＩＤと、そのグループを特定するＩＤとを互いに対応付けた情報である。【００３１】
そして、編集前コンテンツ・編集後コンテンツ間対応関係取得部３は、編集区間情報取得部２の出力する編集区間対応付け情報を基にして、編集区間からなるグループ間の対応付け、及び、区間とグループの対応付けを行う。【００３２】
なお、グループ間の対応付けには、コンテンツのＩＤとグループのＩＤとを用い、これらＩＤによる対応付けの結果を、グループ間対応付け情報として生成する。グループ間対応付け情報は、後述するように、互いに同一のコンテンツＩＤに対応していることを前提にしたうえで、編集前コンテンツにおける編集区間を特定するＩＤと編集後コンテンツにおけるグループを特定するＩＤとを互いに対応付けた情報、又は編集前コンテンツにおけるグループを特定するＩＤと編集後コンテンツにおける編集区間を特定するＩＤとを互いに対応付けた情報のいずれかである。【００３３】
また、区間とグループの対応付けには、コンテンツ・グループ・区間の３つのＩＤを用い、これらＩＤによる区間とグループの対応付け結果を、区間・グループ間対応付け情報として生成する。区間・グループ間対応付け情報は、例えば、編集前コンテンツと編集後コンテンツにおいて、共通する編集区間を保持しているグループ同士をグループＩＤで互いに対応付けたものである。【００３４】
入力部５は、ユーザからの入力内容を編集情報表示画面生成部４に送る。【００３５】
編集情報表示画面生成部４は、編集区間情報取得部２の編集区間情報、編集区間対応付け情報、編集前コンテンツ・編集後コンテンツ間対応関係取得部３のグループ情報、グループ間対応付け情報、区間・グループ間対応付け情報、入力部５の入力情報、の６つの情報を基にして、画面情報を生成する。【００３６】
提示部６は、編集情報表示画面生成部４から得た画面情報を表示する。【００３７】
次に、第１実施形態に係る編集情報提示装置１の動作について、説明する。【００３８】
先ず、編集区間情報取得部２は、編集履歴情報蓄積部１００から出力される編集履歴情報より、編集区間情報と編集区間対応付け情報とを取得する。【００３９】
ここで、編集履歴情報は、通常、編集操作が加えられた区間毎に記録され格納される。この格納される情報は、編集操作の内容を示す情報、編集前後のコンテンツの編集操作を適用した区間を特定する情報（開始時刻（開始フレーム）・終了時刻（終了フレーム）、区間長（フレーム数）等）を含む。【００４０】
例えば、コンテンツＡの１秒目から３秒目までの区間に、色補正をかけていたとすると、編集履歴情報には、編集処理として色補正を行ったことを示す情報、編集前コンテンツのうち編集操作を適用し始めた時刻が１秒目であることを示す情報、編集前コンテンツのうち編集操作を適用し終わった時刻が３秒目であることを示す情報、編集後コンテンツのうち編集操作が開始された時刻が１秒目であることを示す情報、編集後コンテンツのうち編集操作が終了した時刻３秒目であることを示す情報、編集操作が行われた区間の長さが２秒であることを示す情報それぞれが保存される。【００４１】
また、編集区間情報は、編集区間が存在するコンテンツを識別するＩＤ、そのコンテンツ内で編集区間を識別するＩＤ、編集処理内容情報、区間の開始・終了時刻、区間長からなる。【００４２】
なお、編集履歴情報は、各編集処理に対して逐一コンテンツの変化を記述したものであるのに対して、編集区間情報は、編集前コンテンツと編集後コンテンツとで比較した際の最終的な変化のみを記述したものである。【００４３】
例えば、編集前コンテンツの区間Ａを移動後、消去するという２つの編集処理を行った場合、区間Ａの編集履歴情報は、編集処理内容である区間Ａの移動に関する情報と区間Ａの消去に関する情報の２つを記述し、一方、区間Ａの編集区間情報は、区間Ａの消去に関する情報のみ記述する。【００４４】
そして、編集区間情報取得部２は、編集履歴情報から編集区間情報を算出する。編集区間情報を算出する過程で、編集前コンテンツの編集区間と編集後コンテンツの編集区間との対応関係を、編集区間対応付け情報として算出する。編集区間対応付け情報は、例えば編集履歴情報により示される区間の位置変化、及び区間長の変化などを用いて算出される。例えば、編集前コンテンツに対して第１の編集処理を加えて第１の編集後コンテンツを作成し、さらに第１の編集後コンテンツに第２の編集処理を加えて第２の編集後コンテンツを作成した場合を考える。編集履歴情報は、編集前コンテンツと第１の編集後コンテンツの対応付けと、第１の編集後コンテンツと第２の編集後コンテンツの対応付けを示している。これに対して編集区間対応付け情報は、編集履歴情報を用いて編集前コンテンツと第２の編集後コンテンツの対応付けを示すことができる。すなわち編集区間対応付け情報によれば、編集前コンテンツと、これに対して複数回編集が行われた後の編集後コンテンツ相互間で、区間の対応付けをとることができる。【００４５】
当該編集区間対応付け情報は、編集区間を特定する編集区間情報のコンテンツのＩＤと区間ＩＤを用いて、編集区間をペア（一対）として対応付けることによって作成される。【００４６】
なお、消去や追加された区間等の一部の編集区間は、対応付けができない。例えば、区間の消去は、編集前に存在した区間が消去されるため、編集後コンテンツには対応付け可能な編集区間は存在しない。また、区間の追加は、編集区間を加えるため、編集前コンテンツには対応付け可能な区間は存在しない。これら消去や追加された区間等の一部の編集区間は、予め用意した、区間の対応付けが無い状態を示すＩＤと対応付けをする。【００４７】
編集前コンテンツ・編集後コンテンツ間対応関係取得部３は、連続する編集区間をグルーピングし、編集区間からなるグループ情報を生成する。そして、編集前後の編集グループ間を対応付けしてグループ間対応付け情報を生成し、また、編集区間と編集グループを対応付けして区間・グループ間対応付け情報を生成する。ここで、編集区間のグルーピングとは、編集前コンテンツと編集後コンテンツの各コンテンツ内の時間順に連続する区間を１つにまとめることである。【００４８】
そして、編集前コンテンツ・編集後コンテンツ間対応関係取得部３は、編集区間をグルーピングすることによって、編集情報を集約する。【００４９】
ここで、編集区間からなるグループを編集グループとする。【００５０】
当該編集グループは、編集区間情報取得部２から得た編集区間情報の区間の開始・終了時刻情報を基にして、連続する編集区間を１つのグループにまとめることによって作成される。一方、編集区間が連続していない場合は、１つの区間によって編集グループを作成する。【００５１】
そして、作成された編集グループには、コンテンツ内で一意のグループＩＤを付与する。また、各編集区間情報に、属する編集グループのグループＩＤを付与する。【００５２】
次に、編集前後の編集グループ間の対応付けと、区間・グループの対応付けを行う。なお、編集グループ間の対応付けは、編集前後で編集グループ同士の対応付けをする（編集グループ間対応付け）。一方、区間・グループの対応付けには、編集区間と編集グループの対応付けをする。【００５３】
そして編集前コンテンツ・編集後コンテンツ間対応関係取得部３は、上記２通りの対応付けを行い、対応付け情報を生成する。【００５４】
編集前後のグループ間の対応付けでは、編集区間からなるグループ情報と、編集区間情報取得部２から得た編集区間対応付け情報を基にして、編集前後の編集グループの対応付けを行う。【００５５】
そして、編集グループの対応付け結果を編集グループ間対応付け情報として生成する。【００５６】
なお、編集グループ間対応付け情報とは、編集区間対応付け情報をグループ単位で集約した情報である。【００５７】
図２は、編集区間対応付け情報の一例を示す図であり、図３は、図２に示す一例に対して編集区間対応付け情報をグループ単位で集約して、編集グループ間対応付け情報を示した図である。なお、各図２及び３の矢印は、対応付けを示す。また、図２の×印は、消去された区間を示し、図３の×印は、グループ内に消去した区間があることを示す。また、図２の＋印は、追加された区間を示し、図３の＋印は、グループ内に追加した区間があることを示す。【００５８】
図２に示す編集前後の編集区間同士の対応付けを、図３に示す区間の属するグループ同士の対応付けに変換することによって、グループ間の対応付けを行う。なお、区間の対応付けからグループ同士の対応付けに変換するには、編集区間情報の区間のＩＤとグループＩＤを用いる。編集区間からなるグループ情報から、編集前コンテンツの各グループＩＤに対応付けられている区間ＩＤを求める。次に、この区間ＩＤとペアとなる編集後コンテンツの区間ＩＤを、編集区間対応付け情報より求める。最後に、求まった編集後コンテンツの区間ＩＤそれぞれが属するグループＩＤを求める。これにより、編集グループ同士の対応付けができることになる。【００５９】
図２及び図３に示す例で説明すると、まず、編集前コンテンツのグループＡ１に対応する区間は、区間Ａ１と区間Ｂ１であることが分かる。次に、編集前コンテンツの区間Ａ１と区間Ｂ１に対応する編集後コンテンツの区間は、区間Ａ２と区間Ｂ２であることが分かる。そして、区間Ａ２と区間Ｂ２は、編集後コンテンツのグループＡ２に属していることが分かる。その結果、グループＡ１からグループＡ２への対応付けが求まる。そして、対応付けの結果は、グループ間対応付け情報として生成される。【００６０】
各編集区間の対応付けから同じグループ間の対応付けが生成された場合、そのグループ間の対応付けを１つにまとめる。例えば、図２に示す編集前コンテンツの区間Ａ１と区間Ｂ１は、図３に示すグループＡ１に属する。一方、区間Ａ２と区間Ｂ２は、図３に示すグループＡ２に属する。区間Ａ１と区間Ａ２、区間Ｂ１と区間Ｂ２は、対応付けされている。このように、グループＡ１とグループＡ２との間で対応付けが２つ存在する場合、グループＡ１とグループＡ２同士の対応付けは、１つの対応関係にまとめられる。すなわち区間Ａ１が区間Ａ２に対応している、という情報と、区間Ｂ１が区間Ｂ２に対応している、という情報は、編集前後のグループＡ１，Ａ２が互いに対応している、という一つの対応付け情報にまとめられる。【００６１】
最後に、編集前コンテンツと編集後コンテンツとの間で、区間とグループの対応付けを行う。即ち、編集区間対応付け情報と編集区間からなるグループ情報とを用いて、編集前コンテンツと編集後コンテンツとの間で、編集グループと編集区間の対応付けを行う。次いでグループ情報から、区間ＩＤ情報とグループＩＤ情報とを取得する。そして、編集区間対応付け情報から、ペアとなる区間ＩＤ情報を取得する。そして、ここで求まった区間ＩＤと、グループ情報の区間ＩＤとを対応付けることによって、編集前コンテンツと編集後コンテンツとの間で、編集区間とグループ情報を対応付けることができる。【００６２】
図２及び図３に示す例で説明すると、まず、編集区間からなるグループ情報から、編集前コンテンツのグループＡ１は、区間Ａ１と区間Ｂ１からなることが分かる。また、編集区間対応付け情報から、区間Ａ１は、区間Ａ２に対応付けられていること、及び、区間Ｂ１は、区間Ｂ２に対応付けられていることが分かる。その結果として、編集後コンテンツの区間Ａ２と区間Ｂ２から、グループＡ１への対応付けが求まる。【００６３】
また、編集区間からなるグループ情報から、編集後コンテンツのグループＡ２は、区間Ａ２と区間Ｂ２からなることが分かる。そして、編集区間の対応付け情報から、区間Ａ２は、区間Ａ１に対応付けられていること、及び、区間Ｂ２は、区間Ｂ１に対応付けられていることが分かる。その結果として、編集前コンテンツの区間Ａ１と区間Ｂ１から、グループＡ２への対応付けが求まる。【００６４】
以上のように、編集前コンテンツの区間と編集後コンテンツのグループ、及び、編集前コンテンツのグループと編集後コンテンツの区間の対応付けが行われる。【００６５】
図４は、区間同士が図２のように対応付けられている場合に、編集前コンテンツの区間ＩＤと編集後コンテンツのグループＩＤとを対応付けした結果と、編集後コンテンツの区間ＩＤと編集前コンテンツのグループＩＤとを対応付けした結果と、を示した図である。【００６６】
編集情報表示画面生成部４は、編集区間情報取得部２から出力される編集区間情報、編集区間対応付け情報、編集前コンテンツ・編集後コンテンツ間対応関係取得部３から出力されるグループ情報、グループ間対応付け情報、区間・グループ間対応付け情報、及び、入力部５から出力される入力情報、の６つの情報を基にして、画面情報を生成する。当該画面情報は、編集前コンテンツと編集後コンテンツと、そのコンテンツ内に含まれる区間とグループのコンテンツ内・コンテンツ間の対応付けからなる。【００６７】
画面情報の各コンテンツは、区間とグループのコンポーネントによって表現する。ここでいうコンポーネントとは、各区間情報、各グループ情報をそれぞれ対応付けしたオブジェクトである。区間のコンポーネントは、編集区間情報に対応付けられている編集区間コンポーネントと、不連続な編集区間コンポーネントとの間に存在する、編集区間コンポーネント以外のコンポーネント、つまり編集されていない区間に対応するコンポーネントとの２種類からなる。一方、グループのコンポーネントは、編集区間からなるグループ情報に対応付けられている編集グループコンポーネントからなる。【００６８】
提示部６では、各コンポーネントをテキスト・画像・映像等のグラフィックで表現する。【００６９】
図５に示すように、編集区間情報の開始時刻・終了時刻を基にして、各区間コンポーネントを、各編集前後のコンテンツ毎に時間順に並べる。【００７０】
そして、これに編集区間対応付け情報を用いると、図２に示すような区間（ただし、編集区間を編集区間コンポーネントとし、編集していない区間を編集していないコンポーネントとして解釈する）と、区間対応付け情報を用いた画面情報が生成される。【００７１】
また、各編集区間コンポーネントの区間情報と編集グループのグループ情報の区間ＩＤ同士が対応するので、図６に示すように、編集グループコンポーネントと編集区間コンポーネントとを対応付けする画面情報を生成することができる。【００７２】
この編集区間コンポーネントとその編集区間コンポーネントが属する編集グループコンポーネントとを付随して表示する画面情報は、入力部５で編集グループコンポーネントを選択することによって、編集区間コンポーネントを集約した編集グループコンポーネントのみで表現する画面情報を生成することができる。ここで、編集区間コンポーネントの集約とは、編集区間コンポーネントで表現されたコンテンツの部分を編集グループコンポーネントで表現することである。【００７３】
例えば、入力部５を介して図６に示す編集グループコンポーネントであるグループＣ１が１つ選択されると、図７に示すようにグループＣ１の編集区間がグループＣ１に全て集約された画面情報を生成することができる。また、図６に示す編集グループコンポーネントが選択され、全ての編集区間コンポーネントを集約して、図３に示すような編集区間コンポーネントを編集グループコンポーネントのみで構成する画面情報を生成することができる。ただし、図３に示す編集グループを編集グループコンポーネントと解釈する。【００７４】
一方、入力部５で、図６に示す一部の編集グループコンポーネントを集約することによって、図８に示すような編集区間コンポーネントと編集グループコンポーネントとの両者で表現した画面情報を生成することができる。【００７５】
また、集約とは逆に、集約したグループコンポーネントを、元の区間コンポーネントとその区間コンポーネントが属するグループコンポーネントとが付随する画面情報へ展開することができる。例えば、入力部５を介して、図７に示すグループコンポーネントである集約されているグループＣ１が１つ選ばれると、図６に示すようにグループＣ１の区間が全て表示される。【００７６】
また、図３に示す区間コンポーネントを集約したグループコンポーネントを入力部５で全て選択すると、図６に示す選択したグループコンポーネントとそのグループコンポーネントに属する区間コンポーネントに全て変えた画面情報を生成することができる。【００７７】
一方、図３の一部を展開して、図８に示すような対応する編集前コンテンツと編集後コンテンツとの間で、編集区間コンポーネントと編集グループコンポーネントとを混合して対応させた画面情報を生成することができる。【００７８】
これらの編集グループコンポーネント同士の対応には、グループ対応付け情報を用いる。また、区間コンポーネント・グループコンポーネントの対応には、区間・グループ間対応付け情報を用いる。【００７９】
また、入力部５を介する入力によって、区間コンポーネント若しくはグループコンポーネントが選択されると、区間コンポーネント、グループコンポーネント、及び、コンポーネント間の対応付けを強調した画面情報を生成することができる。【００８０】
図９は、１つの区間コンポーネントＨ１を入力部５により選択した際に、その区間が属するグループＥ１、対応付けされた区間Ｈ２、及び、その対応付けされた区間のグループＡ２が強調されることを示す図である。【００８１】
また、図１０は、編集後コンテンツのグループコンポーネントＡ２を入力部５によって選択した際に、選択したグループコンポーネントの区間コンポーネントＢ２、Ｈ２、及びＡ２、また、対応付けされたグループコンポーネントＡ１及びＥ１、対応付けされた区間コンポーネントＡ１、Ｂ１、及びＨ１が強調されることを示す図である。【００８２】
入力部５は、ユーザの区間コンポーネントの選択やグループコンポーネントを選択する入力を受け付ける。この入力は、区間コンポーネントとグループコンポーネントの集約・展開や強調等、編集情報表示画面生成部４の画面情報の変更に用いる。【００８３】
例えば、入力部５を介して図６の区間コンポーネントＤ１、Ｅ１、及びＦ１により表現されるグループＣ１が選択された場合、図７に示すグループコンポーネントＣ１のように区間コンポーネントを集約した画面情報を生成するよう編集情報表示画面生成部４へ命令を出す。【００８４】
逆に、入力部５を介して図７に示すグループコンポーネントＣ１が選択された場合、図６に示す区間コンポーネントＤ１、Ｅ１、及びＦ１により表現されるグループＣ１へ展開する画面情報を生成するよう編集情報表示画面生成部４へ命令を出す。【００８５】
一方、入力部５を介して区間コンポーネントＨ２が選択されると、図９に示すように区間コンポーネントＨ２が属するグループＡ２、区間コンポーネントに対応付けされている区間コンポーネントＨ１、及び、グループコンポーネントＥ１を強調表示するよう編集情報表示画面生成部４へ命令を出す。【００８６】
なお、入力部５による集約・展開や強調の選択方法には、マウスによるクリックやメニュー画面を利用する方法等がある。【００８７】
例えば、区間コンポーネントを集約する場合と、グループコンポーネントを集約する場合は、コンポーネントをダブルクリックすることによって行い、コンポーネントを強調する場合は、コンポーネントをシングルクリックすることによって行う。【００８８】
一方、コンポーネントをシングルクリックすることによってそのコンポーネントについてのメニューを表示し、コンポーネントへ適用する集約・展開・強調を選択する。【００８９】
なお、入力部５と提示部６とが一体化されたタッチスクリーン（タッチパネル）を利用する場合は、マウスの場合と同様に、スタイラスや指によるクリック・ダブルクリックを利用する方法や、コンポーネントを長押しすることによる、メニューを表示して選択する方法がある。【００９０】
そして、提示部６は、編集情報表示画面生成部４が生成した画面情報を提示する。  【００９１】
以上説明したように、本実施形態によれば、編集情報の集約・展開による編集結果の概要・詳細と、編集履歴の関係性を用いた編集の意図とを容易に把握することができる。【００９２】
［第２実施形態］
次に、本発明の第２実施形態に係る編集情報提示装置について、図面を用いて説明する。【００９３】
先ず、第２実施形態に係る編集情報提示装置の構成及び機能について、説明する。【００９４】
当該第２実施形態に係る編集情報提示装置の全体構成は、図１に示す編集情報提示装置１と同様であるが、編集区間情報取得部２において、編集履歴の重要度判定を行う点が異なる。【００９５】
図１１は、第２実施形態に係る編集情報提示装置における編集区間情報取得部２を示す図である。【００９６】
第２実施形態に係る編集情報提示装置は、図１１に示すように、編集履歴情報蓄積部１００の編集履歴情報の重要度を算出する編集履歴重要度判定部７を編集区間情報取得部２に追加して、編集区間情報取得部２が、当該編集履歴重要度判定部７と編集区間情報生成部８との２つを備えて構成されている。【００９７】
編集履歴情報には、編集処理が細かすぎるため、編集前後におけるコンテンツの大局的な構成の変化を把握するにはあまり役に立たないものがある。例えば、映像コンテンツの場合、数フレームの削除や色補正などの細かい編集処理がある。そこで、これら細かい編集処理情報を、図６に示すような編集前後のコンテンツの変化を表示する際に隠蔽する機能を編集履歴重要度判定部７によって実現する。【００９８】
編集履歴重要度判定部７は、編集履歴情報に貯えられた各編集処理の重要度を算出する。そして、編集履歴重要度判定部７は、編集履歴と重要度を関連付けたデータを生成する。なお、重要度は、例えば編集処理における変更の度合いを示す情報であり、編集履歴情報がコンテンツの変化の概要を把握するのに利用可能か判定するのに用いる。その値は、編集処理内容と編集処理を適用する区間長、コントラストの変化、及び区間の消去の有無などによって決定することができる。【００９９】
例えば、編集処理内容では、映像コンテンツのコントラストの多少の変更や、音声コンテンツの微小なノイズのカット等は、重要度を低く設定する。また、編集処理を適用する区間長は、編集処理の区間の長さが長いほどコンテンツへの影響は大きいので、重要度を高く設定し、１秒にも満たない短い編集区間はコンテンツへの影響は小さいので、重要度を低く設定する。これら編集処理内容や編集処理の区間長によって決定する重要度の設定方法は、短い編集区間でも重要度を高く設定する等ユーザの嗜好に応じて変更することができる。【０１００】
編集区間情報生成部８は、編集履歴情報と、編集履歴重要度判定部７から得た履歴と重要度を関連付けたデータと、から編集区間情報・編集区間対応付け情報を算出する。そして、編集区間情報生成部８は、重要度が所定の閾値以下の編集履歴から抽出した編集区間は、コンテンツの編集内容としてはあまり意味を持たないものと判断し、当該抽出した編集区間は、生成されなかったものとして扱う。そして、当該抽出した編集区間の代わりに、重要度が閾値以下の区間の情報であるサブ区間情報を生成する。なお、サブ区間情報とは、重要度が一定閾値以下の編集区間を示す情報が含まれており、開始・終了時刻、区間長、及び、自身を識別するサブ区間ＩＤを含む。【０１０１】
編集区間情報生成部８において編集区間情報を生成した際に、ある編集区間の中にサブ区間が存在する場合、その編集区間情報と対応付けする。一方、サブ区間がどの編集区間の中にも存在しない場合、サブ区間を編集区間情報に変換して、既に生成した編集区間情報と共に保持する。編集区間に含まれないサブ区間は、編集をしていない区間内に存在することになる。そのため、編集をしていない区間内にサブ区間を含ませないようにするために、サブ区間を編集区間として扱い、サブ区間情報を編集区間情報に変換する。【０１０２】
図１２は、重要度の低い編集履歴から抽出した編集区間をマージする一例を示す図である。なお、図１２は重要度の低い編集履歴から抽出する編集履歴情報からコンテンツの編集区間情報を算出する過程を示している。【０１０３】
図１２のコンテンツへの編集処理は、区間のカット・並び替え（イ）と区間消去（ロ）が行われている。なお、この区間消去（ロ）は、数フレームに適用したものであり、編集履歴重要度判定部７によって求まる重要度が低いものとする。【０１０４】
そして、区間のカット・並び替え（イ）では、区間Ａをカットして、並び替えている。【０１０５】
また、区間消去（ロ）では、区間Ｄ内にある区間Ｉを消去する。この区間Ｉは、重要度が一定閾値以下であるため、区間Ｉをサブ区間に登録し、編集区間としては、区間Ｄのままで、区間Ｉは生成（消去）されなかったものとして扱う。ここでは、区間Ｉが消された区間Ｈと区間Ｊをマージして区間Ｄ２とする。【０１０６】
図１３は、サブ区間情報を用いた、編集情報表示画面生成部４の画面情報の一例を示す図である。なお、図１３は、図６に示すような画面情報に加え、サブ区間情報を持つ区間を示す情報を追加可能にしている。また図１３に示す虫眼鏡の絵は、区間にサブ区間情報があることを示している。【０１０７】
入力部５からの虫眼鏡の付いた区間コンポーネントを選択する入力により、編集情報表示画面生成部４は、図１４に示すようなサブ区間を表示するための画面情報を生成することができる。【０１０８】
以上説明したように、本実施形態によれば、編集処理が細かい編集区間は、サブ区間として捉え直し、編集前後のコンテンツの変化を提示する際にサブ区間を隠すことにより、編集前後のコンテンツの変化についての概要を把握し易くすることができる。【０１０９】
［第３実施形態］
次に、本発明の第３実施形態に係る編集情報提示装置について、図面を用いて説明する。【０１１０】
先ず、第３実施形態に係る編集情報提示装置の構成及び機能について、説明する。【０１１１】
当該第３実施形態に係る編集情報提示装置の全体構成は、図１に示す編集情報提示装置１と同様であるが、編集情報表示画面生成部４において、編集前コンテンツと編集後コンテンツとの間で、編集区間、若しくは、編集されていない区間のコンポーネントが同じ場合、時間軸と垂直に交わる方向に揃えることにより、ユーザが編集によるコンテンツの変化を確認し易いように配置する点で異なる。【０１１２】
図１５は、第３実施形態に係る編集情報装置における編集情報表示画面生成部４を示しており、図１に示す編集情報表示画面生成部４に、レイアウト設定部１１を加え、更に機能を詳細に分割した図である。【０１１３】
図１５に示すように、編集情報表示画面生成部４は、コンポーネント生成・対応付け部９と、コンポーネント・コンポーネント対応付け選択部１０と、レイアウト設定部１１とを備えて構成される。【０１１４】
コンポーネント生成・対応付け部９は、編集されていない区間コンポーネント、編集区間コンポーネント、及び、編集グループコンポーネントの３つを生成する。なお、このコンポーネントは、既に説明した通り、各区間情報、各グループ情報を夫々対応付したオブジェクトを指す。【０１１５】
コンポーネント・コンポーネント対応付け選択部１０は、入力部５から受けた入力から、図８乃至図１０に示すように区間コンポーネントを集約し、グループコンポーネントを展開した画面情報やコンポーネントとコンポーネントの対応関係を強調した画面情報を生成する。【０１１６】
レイアウト設定部１１は、編集されていない区間コンポーネントが編集前後のコンテンツで並び順序と区間長が変化しないことを利用して、編集前コンテンツと編集後コンテンツの同じコンポーネントを時間軸と垂直に揃える。【０１１７】
次に、第３実施形態に係る編集情報提示装置の動作について、説明する。【０１１８】
まず、編集前コンテンツと編集後コンテンツとの間で対応する編集されていない区間コンポーネントを、時間軸と垂直に交わる方向に揃える。【０１１９】
そして、垂直に揃えた編集されていない区間コンポーネントによって挟まれる編集区間コンポーネントと編集グループコンポーネントの集合を作成する。【０１２０】
各集合内において、編集前コンテンツと編集後コンテンツとの間で同じ編集区間コンポーネントがある場合、それらの編集コンポーネントは、垂直に交わる方向に揃える。一方、編集前コンテンツと編集後コンテンツとの間で同じ編集区間コンポーネントが無い場合、即ち、異なる集合に同じ編集区間のコンポーネントがある、若しくは、編集区間コンポーネントが編集処理によって存在しない場合、これらを明示するために編集区間コンポーネントは同列に配置せず、その編集区間コンポーネントと垂直に交わる方向に空白を挿入して、レイアウトを調整する。【０１２１】
なおこの空白は、編集区間コンポーネントが編集前コンテンツに属する場合は、編集後コンテンツに挿入し、編集後コンテンツに属する場合は、編集前コンテンツに挿入する。編集グループコンポーネントは、編集前後のコンテンツでグループの中身が編集されているため、同一の対応するグループコンポーネントがない。そのため、必ず空白を挿入する必要がある。また空白の挿入方法は、編集区間コンポーネントの場合と同様であり、対応がない編集グループコンポーネントが編集前コンテンツに属する場合は、編集後コンテンツに挿入し、編集後コンテンツに属する場合は、編集前コンテンツに挿入する。【０１２２】
図１６は、レイアウト設定部１１によるコンポーネントのレイアウトの変化について一例を示した図である。【０１２３】
編集前後のコンテンツの対応する編集されていない区間コンポーネントは、時間軸に垂直方向に揃えられる。編集区間コンポーネントＤ１は、編集後コンテンツの編集されていないコンポーネントＡ２とＢ２の間にある編集区間コンポーネントＤ２と対応している。時間軸と垂直に揃えた編集されていない区間コンポーネントＡ１及びＡ２と、Ｂ１及びＢ２との間にＤ１及びＤ２が存在するため、Ｄ１とＤ２は、時間軸を垂直方向に揃えて配置することができる。そして、その他の編集区間コンポーネント及び編集グループコンポーネントは、対応するコンポーネントが無いため、空白と時間軸を垂直方向に揃える。【０１２４】
［第４実施形態］
次に、本発明の第４実施形態に係る編集情報提示装置について、図面を用いて説明する。【０１２５】
先ず、第４実施形態に係る編集情報提示装置の構成及び機能について、説明する。【０１２６】
当該第４実施形態に係る編集情報提示装置は、図１７に示すように、図１に示す編集区間情報取得部２に、第１実施形態において説明した編集区間を抽出する機能を持つ編集区間情報生成部８と、新たに編集していない区間を抽出する未編集区間情報生成部１２とを追加した構成である。【０１２７】
ここで、未編集区間とは、編集前コンテンツと編集後コンテンツとに夫々存在する編集処理が加えられていない区間を指す。【０１２８】
また、未編集区間情報とは、編集前コンテンツと編集後コンテンツとの間で、編集が加えられていない区間を特定する情報である。未編集区間が存在するコンテンツを識別するＩＤ、そのコンテンツ内で未編集区間を識別するＩＤ、区間の開始・終了時刻、及び、区間長からなる。【０１２９】
また編集区間情報は、編集区間情報生成部８から抽出され、未編集区間情報は、編集区間情報生成部８から得た編集区間情報を基にして未編集区間情報生成部１２から抽出される。【０１３０】
未編集区間は、コンテンツ全体から編集区間を除くことによって抽出することができる。即ち、コンテンツ全体のタイムライン上に全編集区間をマッピングし、編集が加えられていない、時間軸上で連続する区間を求めて、未編集区間とする。そして、その未編集区間の未編集区間情報を抽出する。一方、編集履歴情報には、編集操作の記録として、編集をしていないという編集履歴情報を含んでいても良い。この場合、区間に対応付けて格納される情報は、編集操作をした場合と同じで、編集操作内容として編集なしという情報を記録する。なお編集していないという編集履歴情報、即ち未編集区間を未編集と明示的に記述した情報を用いる場合、未編集区間の情報をそのまま用いて未編集区間情報とすることができる。【０１３１】
未編集区間情報生成部１２は、未編集区間情報を基にしてコンテンツの編集前後間で一致する未編集区間の対応付けを行う。なおこの対応付け情報の生成方法は、未編集区間の順序と区間長から生成する方法と、未編集区間の画像・音の特徴を抽出し、編集前コンテンツと編集後コンテンツとを比較して生成する方法との２通りの方法がある。前者では、未編集区間の順序と区間長とが編集前後で変化しないことを利用して、編集前コンテンツと編集後コンテンツとの間で、時間順に、区間長が等しい未編集区間を対応付ける。後者では、未編集前後間で画像・音の特徴を抽出し、当該抽出された画像・音の特徴が最も類似する未編集区間を対応付ける。なお、これら２つの未編集区間の対応付け方法は、組み合わせて利用してもよい。このようにして対応付けした未編集区間は、各未編集区間が存在するコンテンツのＩＤと未編集区間に新たに付与する区間ＩＤの組をペアとした、未編集区間対応付け情報を生成する。【０１３２】
編集情報表示画面生成部４は、第１実施形態の編集情報提示装置１が生成する画面情報に、編集されていない区間コンポーネントを未編集区間コンポーネントとして表現する。この未編集区間コンポーネントは、未編集区間情報と対応付けする。【０１３３】
そして、図１８に示すように、第１実施形態の編集情報提示装置１の提示部６が提示する編集区間と編集グループコンポーネントと、それらと対応関係にある、未編集区間コンポーネントと未編集区間対応付け情報とを加えた画面情報を生成する。そして、編集区間と未編集区間の開始時刻・終了時刻を基にして、各区間コンポーネントは時間順に並ぶ。【０１３４】
入力部５の入力によって、未編集区間コンポーネントを選択すると、未編集区間コンポーネント間の対応付けを強調した画面情報の生成が可能である。【０１３５】
以上説明したように、本実施形態によれば、編集前後のコンテンツにおけるグループ同士の対応付け情報により、編集内容を集約した形で表示し、編集内容の概要を把握することを可能であるため、編集履歴情報が増加しても、その編集内容の確認が容易である。【０１３６】
また、本実施形態によれば、編集前コンテンツの区間・グループと編集後コンテンツの区間・グループの対応付け情報を抽出し、複数の対応関係情報を表示することにより、編集の意図をより鮮明に理解することができる。例えば、移動した２つの編集区間の対応関係から区間の入れ替えが分かり、未編集区間に挟まれた編集区間が１つのみの場合には区間の置き換えが分かる。【０１３７】
また、本実施形態によれば、編集情報を部分的に集約・展開可能にすることにより、コンテンツの編集情報の確認が容易になる。即ち編集履歴情報の一部分を集約すると、その他の編集履歴情報の表示に十分なスペースを与えられ、そのスペースを用いて編集履歴情報を大きく詳細に表示することにより、ユーザの編集情報の確認が容易になる。また、ユーザが注目しない編集情報を省スペースでまとめることができる。【０１３８】
また、本実施形態によれば、未編集区間、編集前コンテンツと編集後コンテンツとの間でその未編集区間同士の相対的な順序とその区間長とが変わらないため、編集前後のコンテンツの変化を整理し、集約する骨組みとして用いることができる。【０１３９】
また、本実施形態によれば、コンテンツが編集区間と未編集区間の２つのみからなることを利用し、時間順に連続する編集区間をまとめ、編集前コンテンツと編集後コンテンツとの間で対応付けを取ることにより、未編集区間によって編集情報を整理した形を取ることができる。【０１４０】
また、本実施形態によれば、編集区間同士、編集区間と編集グループ間、編集グループ同士の対応関係が提示されるので、注目する区間の編集方法だけでなく、注目する編集区間、編集グループ、その他の区間との関連性が明らかになり、編集意図を読み取ることができる。【０１４１】
また、本実施形態によれば、編集区間同士、編集区間と編集グループ間、編集グループ同士の対応関係を抽出することにより、対応付け情報を集約した形で表示することが可能になり、対応付け情報の確認が容易になる。【０１４２】
また、本実施形態によれば、入力に従い対応付け情報の表示方法を変更することにより、ユーザが注目する箇所の情報を詳細に提示し、また、ユーザが注目しない箇所の情報は省スペースで表示するため、ユーザが注目する箇所の情報を十分なスペースで表示することが容易である。【０１４３】
尚、本発明は、以上説明したように構成されるが、上記各実施形態に限定されるものではなく、本発明の要旨の範囲内において種々変更可能である。【０１４４】
この出願は、２００８年１２月２５日に出願された日本特許出願特願２００８−３２９６９９を基礎とする優先権を主張し、その開示の全てをここに取り込む。
【符号の説明】
【０１４５】
１  編集情報提示装置
２  編集区間情報取得部
３  編集前コンテンツ・編集後コンテンツ間対応関係取得部
４  編集情報表示画面生成部
５  入力部
６  提示部
７  編集履歴重要度判定部
８  編集区間情報生成部
９  コンポーネント生成・対応付け部
１０  コンポーネント・コンポーネント対応付け選択部
１１  レイアウト設定部
１２  未編集区間情報生成部
１００  編集履歴情報蓄積部
【図１】
2010073695.tif 000003
【図２】
2010073695.tif 000004
【図３】
2010073695.tif 000005
【図４】
2010073695.tif 000006
【図５】
2010073695.tif 000007
【図６】
2010073695.tif 000008
【図７】
2010073695.tif 000009
【図８】
2010073695.tif 000010
【図９】
2010073695.tif 000011
【図１０】
2010073695.tif 000012
【図１１】
2010073695.tif 000013
【図１２】
2010073695.tif 000014
【図１３】
2010073695.tif 000015
【図１４】
2010073695.tif 000016
【図１５】
2010073695.tif 000017
【図１６】
2010073695.tif 000018
【図１７】
2010073695.tif 000019
【図１８】
2010073695.tif 000020
【図１９】
2010073695.tif 000021
【国際調査報告】
2010073695.tif 000022
2010073695.tif 000023
2010073695.tif 000024
2010073695.tif 000025